(57)【要約】【課題】  かびの発生を抑制するかびシャットモードで運転するとき季節やその日の温度や湿度等の環境に応じ、自動的に最適な乾燥能力で運転され、ランニングコストも低減できる浴室換気システムを提供するにある。【解決手段】  浴室１に浴室１内を換気する浴室換気装置２を設置する。脱衣室や洗面室等の浴室１とは異なる別室３に浴室換気装置２の操作パネル４を設ける。この別室３の操作パネル４に温度センサー５及び湿度センサー６を設ける。この温度センサー５及び湿度センサー６の検出する温度や湿度に応じて浴室換気装置２の出力が変化されて浴室が乾燥されるかびシャットモードを設ける。【選択図】        図１
2005037110.tif 000002
【特許請求の範囲】
【請求項１】
浴室に浴室内を換気する浴室換気装置を設置し、脱衣室や洗面室等の浴室とは異なる別室に浴室換気装置の操作パネルを設け、この別室の操作パネルに温度センサー及び湿度センサーを設け、この温度センサー及び湿度センサーの検出する温度や湿度に応じて浴室換気装置の出力が変化されて浴室が乾燥されるかびシャットモードを設けたことを特徴とする浴室換気システム。
【請求項２】
浴室内に温度センサーや湿度センサーを設け、かびシャットモードの途中で浴室内が乾燥してきているかチェックして浴室換気装置をフィードバック制御することを特徴とする請求項１記載の浴室換気システム。  
【請求項３】
浴室換気装置のオフまたは浴槽が所定の水位になった時から所定の時間経過後にかびシャットモードが自動で入るように制御することを特徴とする請求項１記載の浴室換気システム。
【請求項４】
浴室サイズが操作パネルで入力設定可能となっており、設定した浴室サイズも加味して浴室換気装置の運転パターンが選択し得るようにしたことをい特徴とする請求項１記載の浴室換気システム。
【請求項５】
浴室温度を検出可能な温度センサーを備え、入浴後に換気運転を実施する時に浴室温度と浴室とは異なる別室の温度を検出して、所定時間換気後の浴室の温度を測定するか、または浴室温度が所定温度になるまでの時間を測定することにより浴室サイズを自動的に検出するようにし、検出された浴室サイズも加味して浴室換気装置の運転パターンが選択し得るようにしたことを特徴とする請求項１記載の浴室換気システム。
【請求項６】
入浴後にかびシャットモードの運転のスイッチが操作されると、所定時間一定風量で換気運転を行い、浴室とは異なる別室の温度や湿度を所定時間毎に検出すると共に別室の平衡状態の温度や湿度の推定値または実測値に基いて浴室換気装置の運転レベルを確定することを特徴とする請求項１または請求項４または請求項５記載の浴室換気システム。
【請求項７】
かびシャットモード運転終了後、浴室の乾燥レベルに応じて別室の温度や湿度により決まる浴室換気装置の乾燥能力を操作パネルにより増減可能にしたことを特徴とする請求項１または請求項４乃至請求項６のいずれか記載の浴室換気システム。
【請求項８】
かびシャットモードの初期運転レベル確定後、一定時間毎に浴室とは異なる別室の温度や湿度を検出し、この別室の空気の温度や湿度が変化し、現在の運転レベル確定時の設定で乾燥能力が低い場合は、浴室換気装置の運転レベルを変更し得るようにしたことを特徴とする請求項１または請求項４乃至請求項７のいずれかに記載の浴室換気システム。
【請求項９】
浴室に浴室内を換気する浴室換気装置を設置し、脱衣室や洗面室等の浴室とは異なる別室に浴室換気装置の操作パネルを設け、この別室の操作パネルに温度センサーと湿度センサー及び現在時刻・予定入浴時刻の入力機能を備え、温度センサーの検出温度と湿度センサーの検出湿度及び、浴室換気装置運転開始時間と予定入浴時間との差の時間に応じて浴室換気装置の出力が変化されて浴室が乾燥されるかびシャットモードを設けたことを特徴とする浴室換気システム。
【発明の詳細な説明】
【技術分野】
【０００１】
本発明は、浴室のかびの発生を抑制するために浴室の換気をする浴室換気システムに関するものである。
【背景技術】
【０００２】
近年、浴室に浴室換気乾燥機を設置し、浴室内の換気をしたり、浴室内の乾燥をしたり、浴室内に干した衣類の乾燥をしたり、浴室内の防かびをしたりすることが行われている（例えば、特許文献１参照）。この浴室換気乾燥機では、操作パネルの乾燥スイッチを押すと浴室内を乾燥したり衣類を乾燥する乾燥モードで運転でき、操作パネルの換気スイッチを押すと換気モードで運転でき、操作パネルの防かびスイッチを押すと防かびモードで運転できるようになっている。またこれらのスイッチを操作したときの運転時間はタイマーで設定されるようになっている。
【特許文献１】特開平６−３３５５９８号公報
【発明の開示】
【発明が解決しようとする課題】
【０００３】
ところが、上記従来例にあっては、使用者がそれぞれの運転モードについてタイマーにて運転時間を設定して運転するのものであり、季節やその日の温度や環境に応じて自動的に運転できるものでなくて使い勝手の悪いものであった。また十分に乾燥されているにも拘わらず、過剰な換気量で運転されることも考えられ、省エネルギーの観点で好ましいものでなかった。
【０００４】
本発明は上記の点に鑑みてなされたものであり、かびの発生を抑制するかびシャットモードで運転するとき季節やその日の温度や湿度等の環境に応じ、自動的に最適な乾燥能力で運転され、ランニングコストも低減できる浴室換気システムを提供するにある。
【課題を解決するための手段】
【０００５】
上記課題を解決するために本発明の請求項１の浴室換気システムは、浴室１に浴室１内を換気する浴室換気装置２を設置し、脱衣室や洗面室等の浴室１とは異なる別室３に浴室換気装置２の操作パネル４を設け、この別室３の操作パネル４に温度センサー５及び湿度センサー６を設け、この温度センサー５及び湿度センサー６の検出する温度や湿度に応じて浴室換気装置２の出力が変化されて浴室１が乾燥されるかびシャットモードを設けたことを特徴とする。
【０００６】
かびシャットモードで運転するとき、浴室１とは異なる別室３に設けた操作パネル４の温度センサー５や湿度センサー６にて別室３の温度や湿度を検出することで季節やその日の環境を認識でき、それに応じて最適の条件で浴室換気装置２を運転でき、使用者が設定したりしなくても最適な乾燥能力のかびシャットモードで自動的に運転できる。また上記のように季節やその日の環境に応じた運転ができるために無駄な運転をなくしてランニングコストを低減できる。
【０００７】
また本発明の請求項２の浴室換気システムは、請求項１において、浴室１内に温度センサー７や湿度センサー８を設け、かびシャットモードの途中で浴室１内が乾燥してきているかチェックして浴室換気装置２をフィードバック制御することを特徴とする。
【０００８】
上記のようにかびシャットモードで運転するとき、浴室１内の温度センサー７や湿度センサー８にて浴室１内の温度や湿度を検知することで浴室１内の乾燥状態をチェックしてフィードバックすることで浴室換気装置２の出力を修正でき、より最適な条件で浴室換気装置２を運転することができる。
【０００９】
また本発明の請求項３の浴室換気システムは、請求項１において、浴室換気装置２のオフまたは浴槽１０が所定の水位になった時から所定の時間経過後にかびシャットモードが自動で入るように制御することを特徴とする。
【００１０】
２４時間換気と称される常時換気を行う換気システムがあるが、この場合でも入浴時には換気を停止しなければならない。しかし入浴時に換気を停止すると、入浴後に換気をオンするのを忘れることがある。ところが、上記のように浴室換気装置２のオフまたは浴槽１０が所定の水位になった時から所定の時間経過後にかびシャットモードが自動で入るように制御すると、換気オンするのを忘れても自動的にかびシャットモードで運転される。
【００１１】
また本発明の請求項４の浴室換気システムは、請求項１において、浴室サイズが操作パネル４で入力設定可能となっており、設定した浴室サイズも加味して浴室換気装置２の運転パターンが選択し得るようにしたことを特徴とする。
【００１２】
浴室換気装置２の運転パターンとしては浴室換気装置２が搭載される最大の浴室サイズに合わせた設定としておく方法が考えられるが、省エネルギーの観点からすると浴室サイズに応じた運転を実施する方が望ましい。そこで浴室サイズも加味して運転パターンを選択すると、浴室サイズに応じた最適の運転ができて過剰な乾燥をすることなくて省エネルギー化を図ることができる。
【００１３】
また本発明の請求項５の浴室換気システムは、請求項１において、浴室温度を検出可能な温度センサー７を備え、入浴後に換気運転を実施する時に浴室温度と浴室１とは異なる別室３の温度を検出して、所定時間換気後の浴室１の温度を測定するか、または浴室温度が所定温度になるまでの時間を測定することにより浴室サイズを自動的に検出するようにし、検出された浴室サイズも加味して浴室換気装置２の運転パターンが選択し得るようにしたことを特徴とすることも好ましい。
【００１４】
この場合も、浴室サイズを加味して運転パターンを選択することができ、浴室サイズに応じた最適の運転ができて過剰な乾燥をすることなくて省エネルギー化を図ることができる。またこの場合、自動的に浴室サイズを検出することができるために手動で設定するもののように設定の手間を要しないと共に浴室サイズの設定忘れを生じない。
【００１５】
また本発明の請求項６の浴室換気システムは、請求項１または請求項４または請求項５において、入浴後にかびシャットモードの運転のスイッチが操作されると、所定時間一定風量で換気運転を行い、浴室とは異なる別室の温度や湿度を所定時間毎に検出すると共に別室の平衡状態の温度や湿度の推定値または実測値に基いて浴室換気装置の運転レベルを確定することを特徴とする。
【００１６】
一般的に入浴後の洗面室、脱衣室等の温度、湿度は浴室ドアの開閉により上昇しているので自動運転の運転レベルの決定には使用できない。そこで所定の時間換気して洗面室、脱衣室等の別室３の温度や湿度が浴室１の影響を受けない平衡状態の温度や湿度に基いた運転レベルで浴室換気装置２が運転され、環境に応じて適切に自動運転される。
【００１７】
また本発明の請求項７の浴室換気システムは、請求項１または請求項４乃至請求項６のいずれか１項において、かびシャットモード運転終了後、浴室１の乾燥レベルに応じて別室３の温度や湿度により決まる浴室換気装置２の乾燥能力を操作パネル４により増減可能にしたことを特徴とする。ユーザーがかびシャットモードで運転終了後に浴室１を点検して乾燥能力のレベルアップやレベルダウンの調整ができ、次回からのかびシャットモードの運転がユーザーの好みの応じて設定できる。
【００１８】
また本発明の請求項８の浴室換気システムは、請求項１または請求項４乃至請求項７のいずれかにおいて、かびシャットモードの初期運転レベル確定後、一定時間毎に浴室１とは異なる別室３の温度や湿度を検出し、この別室３の空気の温度や湿度が変化し、現在の運転レベル確定時の設定で乾燥能力が低い場合は、浴室換気装置２の運転レベルを変更し得るようにしたことを特徴とする。突然の環境変化でもその環境変化を検出し、その環境に応じた運転レベルで浴室換気装置２を運転して適切な運転ができる。
【００１９】
また本発明の請求項９の浴室換気システムは、浴室１に浴室１内を換気する浴室換気装置２を設置し、脱衣室や洗面室等の浴室１とは異なる別室３に浴室換気装置２の操作パネル４を設け、この別室３の操作パネル４に温度センサー５と湿度センサー６及び現在時刻・予定入浴時刻の入力機能を備え、温度センサー５の検出温度と湿度センサー６の検出湿度及び、浴室換気装置運転開始時間と予定入浴時間との差の時間に応じて浴室換気装置２の出力が変化されて浴室１が乾燥されるかびシャットモードを設けたことを特徴とする。
【００２０】
かびシャットモードで運転するとき、浴室１とは異なる別室３に設けた操作パネル４の温度センサー５や湿度センサー６にて浴室１の換気に用いる空気の温度と湿度を検出し、かびシャットモードの運転可能時間を計算することにより、季節やその日の環境に加えて、多様な入浴時間に対応して最適の条件で浴室換気装置２を運転でき、ユーザーが運転時間や運転レベルをマニュアル設定する必要がなく、浴室１のかびの発生を抑制することができる。
【発明の効果】
【００２１】
本発明は、かびシャットモードで運転するとき、脱衣室や洗面室等の浴室と異なる別室に設けた操作パネルに設けた温度センサー及び湿度センサーで浴室の換気に用いる空気の温度と湿度を検出することにより、季節やその日の環境を認識でき、それに応じて最適の条件で浴室換気装置を運転でき、ユーザーが運転時間や運転レベルをマニュアル設定する必要がなく、浴室のかび発生を抑制できるという効果を奏し得るものである。また上記のように季節やその日の環境、浴室サイズ等を総合的な判断材料として、省エネルギー運転ができるためにランニングコストを低減できるという効果を奏し得るものである。またユーザーが浴室の乾燥の程度を見て乾燥能力を次回から変更可能である他、急激な温湿度変化にも対応可能にし、充分に浴室を乾燥可能であるという効果を奏し得るものである。
【発明を実施するための最良の形態】
【００２２】
先ず、図１や図２に示す実施の形態の例から述べる。
【００２３】
浴室１内には浴槽１０や洗い場１１を設けてあり、浴室１の浴槽１０の上の天井等に浴室換気装置２を設置してある。この浴室換気装置２は換気扇のようなものでよいが、本例の場合、浴室換気乾燥機２ａである。浴室１に隣接する別室３は本例の場合、洗面室３ａであり、洗面室３ａの壁面に浴室換気乾燥機２ａの操作パネル４を設置してある。浴室換気乾燥機２ａはマイコンを有する制御部で制御されるようになっており、操作パネル４の操作により次のモードで運転できるようになっている。操作パネルの操作で乾燥モードで運転すると、浴室１内に温風を循環させて浴室１内の乾燥や浴室１内に干した衣類の乾燥ができるようになっている。また操作パネル４の操作で換気モードで運転すると、浴室１内の換気ができるようになっている。この換気モードの運転は換気強と換気弱の運転を切り替えてできるようになっている。また操作パネル４の操作にてかびシャットモードでも運転できるようになっており、次の通りである。
【００２４】
操作パネル４には洗面室３ａの温度を検出する温度センサー５と湿度を検出する湿度センサー６とを設けてあり、温度センサー５で検出した温度と湿度センサー６で検出した湿度が制御部に入力されるようになっている。そしてかびシャットモードで運転したとき、温度センサー５で検出する温度と湿度センサー６で検出する温度で季節やその日の環境が認識され、それに応じて浴室換気乾燥機２ａの出力が制御されるようになっている。
【００２５】
具体的には洗面室３ａの温度により図２のマトリックスのようにＡモード、Ｂモード、Ｃモードを選択して浴室換気乾燥機２ａが運転される。Ａモードは冬期と認識され、換気強で４時間運転後（若しくは温風の循環で乾燥するモードで２時間運転後）、換気弱（通常運転）に戻るものである。Ｂモードは通常期と認識され、換気強で１時間運転後、換気弱（通常運転）に戻るものである。Ｃモードは梅雨期と認識され、温風の循環で乾燥するモードで１時間運転後、換気弱（通常運転）に戻るものである。
【００２６】
かびシャットモードで運転したとき、例えば温度センサー５で検出する温度が２５℃で湿度センサー６で検出する湿度が８０％であると、図２からＢモードで運転され、換気強で１時間運転後、換気弱（通常運転）に戻るように運転される。温度センサー５で検出する温度が５℃で湿度センサー６で検出する湿度が６０％であると、図２からＡモードで運転され、換気強で４時間運転後、換気弱（通常運転）に戻るように運転される。温度センサー５で検出する温度が２５℃で湿度センサー６で検出する湿度が８５％であると、図２からＣモードで運転され、温風の循環で乾燥するモードで１時間運転後、換気弱（通常運転）に戻るように運転される。このようにかびシャットモードで運転することにより、季節、その日の環境に応じた最も適切な運転ができ、またできるだけ早く換気弱（通常運転）するようにしてランニングコストも安価にできる。
【００２７】
また図３に示すように浴室１内にも温度センサー７や湿度センサー８を設けることで浴室１の温度や湿度を検出することによりかびシャットモードで運転を開始してから所定時間経過後の浴室１の乾燥状態を認識し、浴室換気乾燥機２ａの運転をフィードバック制御してもよい。つまり、かびシャットモードで運転を開始した後、数時間経過後、適切に浴室１内が乾燥（換気）できているかを、浴室１内に設けた温度センサー７や湿度センサー８でチェックし、フィードバックして浴室１内が適切に乾燥するように浴室換気乾燥機２ａの運転制御をする。例えば上記Ａモードでの運転４時間後（換気弱に戻る時）に浴室１内の換気が不十分な場合には温風を循環させるなどして乾燥を促進させる。上記温度センサー７や湿度センサー８は例えば図３に示すようにカウンター１２の下に設けられる。図３で１３はミラー、１４は壁である。
【００２８】
また入浴時に換気をオフした状態で、入浴後にかびシャットモードの運転をオンするのを忘れてしまうと、浴室１内が換気されないままになり、浴室１内にかびが発生しやすくなる。そこでかびシャッドモードのスイッチの押し忘れがないように換気のオフの後一定時間（例えば６時間）経過したとき、または浴槽１０に一定水量の水が入った時から一定時間（例えば６時間）経過したとき、かびシャットモードのスイッチが入るようになっている。図４の例では浴槽１０内に水位センサー１５を配置してあり、この水位センサー１５で検知した水位が操作パネル４に入力されるようになっている。これにより、浴槽１０に水を張って入浴したのを水位センサー１５にて検知し、入浴から一定時間経過した後に自動的にかびシャットモードのスイッチが入るようになっており、換気を忘れるのを防止できる。
【００２９】
次に図５乃至図９の実施の形態の例について述べる。本例も上記実施の形態の例と基本的に同じであり、異なる点だけを主に述べる。浴室換気装置２は浴室換気乾燥機２ａであり、浴室１の換気をしたり、ヒータをオンして温風を循環させることで浴室１内を暖房したり、浴室１内に冷風を送風したりする機能を有している。浴室１に隣接する別室３は本例の場合洗面室３ａであり、洗面室３ａに設置する操作パネル４には図６に示すように作動時間の残り時間をＬＥＤ等で表示する残り時間表示部２０、停止スイッチ２１、タイマー設定スイッチ２２、２４時間換気モード運転スイッチ２３、かびシャットモード運転スイッチ２４、換気モード運転スイッチ２５、涼風モード運転スイッチ２６、予備暖房モード運転スイッチ２７、乾燥モード運転スイッチ２８、かびシャットモード説明ラベル２９等を設けてある。またがらり部３０の裏側には温度センサー５及び湿度センサー６を設けてある。
【００３０】
換気モード運転スイッチ２５をオンすると、浴室１内の換気を行う運転が行われるようになっている（ヒータオフ）。このとき換気モード運転スイッチ２５の操作で換気強と換気弱の状態に切り換えて運転できるようになっている。涼風モード運転スイッチ２６をオンすると、入浴中等に浴室１で送風が行われるようになっている（換気なし、ヒータオフ）。予備暖房モード運転スイッチ２７をオンすると、冬季等に入浴前に浴室１内に温風を循環させて浴室１の暖房を行うことができるようになっている（換気なし、ヒータオン）。乾燥モード運転スイッチ２８をオンすると、浴室１内に温風が循環させられて浴室１内を乾燥したり、浴室１に干した衣類を乾燥できるようになっている（ヒータオン）。上記のように換気モード運転スイッチ２５、涼風モード運転スイッチ２６、予備暖房モード運転スイッチ２７、乾燥モード運転スイッチ２８を操作して運転するとき、タイマー設定スイッチ２２で運転する時間が設定されるようになっており、残り時間表示部２０で運転の残り時間が表示されるようになっている。また２４時間換気モート運転スイッチ２３をオンすると、換気弱で常時換気される状態になる。また入浴後にかびシャットモード運転スイッチ２４をオンすると、かびシャットモードで浴室１を乾燥する運転が自動的に行われる。
【００３１】
ユーザーが入浴後にかびシャットモード運転スイッチ２４をオンすると、図７に示すように浴室換気乾燥機２ａは換気強で運転を開始する。このとき、浴室の窓とドアは閉じてあり、浴槽１０は風呂蓋で閉じてある。本発明では別室３としての洗面室３ａの温度や湿度を温度センサー５や湿度センサー６にて検出することで季節などその日の環境を認識し、それに応じて浴室換気乾燥機２ａの自動運転の出力を決定しているのであるが、一般的に入浴後の洗面室３ａの温湿度は浴室１のドアの開閉に上昇しているので、浴室換気乾燥機２ａの自動運転の運転状態の決定には使用できない。
【００３２】
そこで、浴室換気乾燥機２ａを換気強で運転運転後、所定の時間（例えば４０分）が経過した時点から例えば１分毎に操作パネル４の温度センサー５及び湿度センサー６にて温湿度を計測し、操作パネル４内のマイコンを有する制御部に入力されるようになっている。そして、運転開始後、所定時間（例えば１時間）経過した時点で平均温湿度を算出する。つまり、洗面室３ａが外気の環境と平衡な状態となる温度や湿度を算出する。そしてこの平衡状態の温度や湿度の推定値または実測値に基いて浴室換気乾燥機２ａの運転状態（運転レベル）を決定して自動運転する。
【００３３】
浴室１に導入する空気の乾燥能力は温度センサー５の検出する温度に応じた飽和水蒸気圧と、湿度センサー６の検出する相対湿度から求まる水蒸気圧の差（蒸気圧差）に応じて決まるので上記平均温湿度を用いて、浴室換気乾燥機２ａの予め用意された換気運転の送風量（弱．強）とヒータ加熱運転時間の組み合わせからなるマトリックス（図８）から運転パターンを選択する。
【００３４】
図８に示すマトリックスは一例であるが、この例の場合、運転パターンとして運転レベル１〜８があり、８通りの運転パターンがある。例えば洗面室３ａの温度が２５℃で湿度が３２％ＲＨ以下であると、運転レベル１で運転され、換気強で０．５〜０．８時間運転された後、換気弱で２〜３時間運転される。また例えば洗面室３ａの温度が１５℃で湿度が３８〜５３％ＲＨであると、運転レベル４で運転され、換気強で０．５〜０．８時間運転された後、換気弱で５〜７時間運転される。また例えば洗面室３ａの温度が１０℃で湿度６８〜８３％ＲＨであると、運転レベル７で運転され、ヒータで加熱して温風を循環させる運転が１〜２時間行われた後、換気弱で７〜８時間運転が行われる。このように別室３の温度や湿度に基いてそれに応じた運転パターンで運転することにより残水率が１０％以下まで乾燥することができ、かびの発生を抑制することができる。
【００３５】
さらに上記のような運転パターンで運転したときに残水率が下がる状態について詳しく述べると次の通りである。換気強で所定時間（例えば１時間）運転した後、洗面室３ａの温度や湿度に応じた運転パターンで運転される。通常期で洗面室３ａの温度や湿度が２０℃６５％ＲＨの場合、図８の運転レベル４で運転され、換気強で０．５〜０．８時間運転された後、換気弱で５〜７時間運転され、図９（ａ）のように残水率が下がる。梅雨期で洗面室３ａの温度や湿度が２０℃９０％ＲＨの場合、運転レベル７で運転され、ヒータで加熱して温風を循環させる運転が１〜２時間行われた後、換気弱で７〜８時間運転が行われ、図９（ｂ）のように残水率が下がる。厳寒期で洗面室３ａの温度や湿度が５℃６０％ＲＨであると、運転レベル７で運転され、ヒータで加熱して温風を循環させる運転が１〜２時間行われた後、換気弱で７〜８時間運転が行われ、図９（ｃ）のように残水率が下がる。
【００３６】
また上記のように浴室換気乾燥機２ａを運転して浴室１を乾燥する運転パターンを決定するとき浴室サイズも大きな要因となる。つまり、浴室サイズが小さいと乾燥しやすいが、浴室サイズが大きいと乾燥しにくい。そこで浴室換気乾燥機２ａの運転パターンに関しては浴室換気乾燥機２ａが搭載される最大の浴室サイズに合わせた設定としておく方法が考えられるが、省エネルギーの観点からすると、浴室サイズに応じた運転を実施する方が望ましい。そこで浴室サイズをマイコンを有する制御部に入力し、浴室サイズも加味した運転パターンを選択できるようになっている。浴室サイズをマイコンを有する制御部に入力するにあたって以下の２つの方法が考えられる。
【００３７】
１つの方法としてはマニュアル設定があり、操作パネル４を操作して１．６ｍ２（０．５坪）サイズ、３．３ｍ２（１坪）サイズ、４．９６ｍ２（１．５坪）サイズ、６．６ｍ２（２坪）サイズを選択して設定可能になっている。この浴室サイズをマニュアル設定する場合、例えば、図６に示すように専用の浴室サイズ設定スイッチ３１を設けることが考えらえる。このように専用の浴室サイズ設定スイッチ３１を設ける代わりに既存のスイッチの同時押しで設定変更してもよい。この際、残り時間表示部２０のＬＥＤ等を利用して、設定開始時は現在の浴室サイズ設定値を、設定中は変更値を表示することが好ましい。
【００３８】
他の方法としては自動設定があり、次のようになっている。浴室換気乾燥機２ａまたは浴室１内の適所に浴室１内の温度を検知する温度センサー７を備える。入浴直後の浴室内温度が上昇している時点で、かびシャットモード運転スイッチ２４がオンされ、その時点で浴室サイズに関する情報をマイコン内に持っていない場合は、浴室サイズ検知運転を開始する。このとき、一定風量で例えば換気強運転を行い、スタート時点の浴室温度と洗面室３ａの温度、及び所定時間経過後の浴室温度と洗面室３ａの温度から浴室サイズを推定可能である。あるいは、浴室温度が所定の温度に下がるまでの時間を測定し、過渡状態の洗面室３ａの温度を用いて浴室サイズを推定してもよい。なお、この浴室検知運転は一度のみ実施すればよい。
【００３９】
上記浴室サイズの自動推定について詳しく述べると、次の通りである。
換気運転時における浴室温度の変化は、一般に次のような式で推定できる。
θｔ＝（θｓ−θｏｕｔ）×ｅｘｐ（−Ｃｔ／Ｑ）＋θｏｕｔ
θｔは、換気運転後のｔ時間後の浴室温度であり、単位は℃である。
θｓは、スタート時点での浴室温度であり、単位は℃である。
θｏｕｔは、別室としての洗面室の温度であり、単位は℃である。
ｔは、換気運転後の経過時間であり、単位はｈである。
Ｃは、浴室の熱容量であり、浴室構造体の熱容量と浴室内空気の熱容量の和であり、単位はＪ／℃である。
Ｑは、換気風量による熱容量であり、空気の比熱に換気風量を乗じたものであり、単位はＪ／℃ｈである。
上記Ｑは、浴室換気乾燥機２ａに搭載している換気扇によってわかっている値である（既知の値）。
上記Ｃは、浴室サイズによって決まる数値である。代表的には１．６ｍ２（０．５坪）サイズ、３．３ｍ２（１坪）サイズ、４．９６ｍ２（１．５坪）サイズ、６．６ｍ２（２坪）サイズなど、浴室各サイズ毎に算出することができる値である。
θｔ、θｓ、θｏｕｔを温度センサーにて検知し、上記式に当てはめることで、そのときのＣの値（浴室サイズ）を推定することは可能である。
【００４０】
上記のマニュアル設定または自動設定で得た浴室サイズを基に最適な運転パターンを決定するというわけであるが、その際、マイコン内に浴室サイズ毎の運転パターンを用意してもよいし、代表例、例えば４．９６ｍ２（１．５坪）サイズの運転パターン表を用意し、浴室サイズに応じて一定比率で運転時間を変更してもよい。
【００４１】
また上記のように洗面室３ａの温度や湿度に基いた運転パターンで自動的に運転されるが、このときに下記のように能力変更が可能になっている。予めマイコン内に用意された運転パターンで運転しても、浴室１内の小物の配置によって乾燥効果が弱められたり、ユーザーの求める乾燥の程度と設定値に差がある場合が考えられる。そこで、操作パネル４の操作による能力可変設定により、温湿度に基きマイコンが設定した運転パターンをアップダウンする能力を備えている。例えば、図６に示すように操作パネル４に能力変更スイッチ３３を備えており、能力変更スイッチ３３を操作することで能力をアップしたりダウンしたりすることができるようになっている。また操作パネル４の特定のスイッチの同時押しによっても運転パターンのレベルのアップやダウンが可能である。
【００４２】
ユーザーがかびシャットモード運転終了後に浴室１を点検して、乾燥の不足を感じた場合はレベルアップを行えばよいし、より省エネルギー運転を行いたい場合は、レベルダウンを行えばよい。例えば温湿度により決定された運転パターンがレベル６で能力可変設定が＋１場合、レベル７で運転する。上記のように能力変更するとき、浴室サイズのマニュアル設定と同様に既存の残り時間表示部２０のＬＥＤ等を利用して、能力可変設定中のみ、最初に現在値を、設定中は能力可変設定値を表示することが望ましい。このように能力のレベルアップやレベルダウンを行うことにより、次回の運転から能力変更された運転パターンで運転される。
【００４３】
またかびシャットモードでの運転中、初期運転レベル確定後、一定時間毎に洗面室３ａの温度や湿度を検出し、この洗面室３ａの空気の温度や湿度が変化し、現在の運転レベル確定時の設定で乾燥能力が低い場合は、浴室換気乾燥機２ａの運転レベルを変更できるように追従制御するようにすることも望ましい。かびシャットモードの運転中、運転レベルの確定後に、降雨や前線通過等により洗面室３ａの温度や湿度が大きく変化する場合がある。そこで本発明では環境変化に対応するため、所定の時間間隔（例えば３０分）毎に、所定時間（例えば１０分）の平均温湿度を算出し、運転レベルの検証を行い、現運転レベルが能力不足と判断された場合は、不足時間だけ換気強の運転や乾燥（ヒータオン）の運転を追加するようになっている。
【００４４】
上記のようにかびシャットモードで運転されるが、２４時間換気設定時は、かびシャットモード運転が終了すると、自動的に２４時間換気に切り替わるようになっている。
【００４５】
次に図１０、図１１に示す実施の形態の例に述べる。本例も上記例と基本的に同じであり、異なる点だけを主に述べる。本例の場合、操作パネル４の上記のように温度センサー５や湿度センサー６を有するのに加えて現在時刻・予定入浴時刻の入力機能を備え、温度センサー５の検出温度と、湿度センサー６の検出湿度と、運転開始時間と予定入浴時間の差（運転可能時間）に応じて、浴室換気乾燥機２ａの出力を変化させられるかびシャットモードを有している。
【００４６】
図１０に示すように操作パネル４には時刻表示部３４と時刻設定部３５を有しており、現在時刻を設定して表示したり、予定入浴時間を入力したりできるようになっている。そしてかびシャットモード運転スイッチ２４をオンしてかびシャットモードで運転を行うとき、ユーザーが予め現在時刻と次回の入浴予定時刻を設定していおくようになっている。
【００４７】
そしてユーザーが入浴後、かびシャットモード運転スイッチ２４をオンすると、操作パネル４のマイコンで現在時刻と入浴予定時間の差、即ちかびシャットモード運転可能時間の計算を行う。例えば運転開始時刻が午後２：００、次回入浴予定時刻が午後６：００の場合、運転可能時間は４時間となる。ところが、入浴直後の洗面室２ａは温度・湿度が上昇しているため、即には運転レベル決定用の入力として用いることができない。そこで運転可能時間が所定時間（例えば１０時間）以上確保できる場合は上記例同様に換気強運転から実施し、所定時間（例えば１０時間）未満の場合は、即乾燥（ヒータオン）運転を実施する。運転可能時間が長くて換気強運転スタートの場合は、所定時間後の洗面室３ａの温度、湿度から予めマイコン内に用意された運転パターンを選択する。
運転可能時間が短くて乾燥運転スタートの場合は、運転可能時間の残り時間を加味して最適な運転パターンを選択する。
【００４８】
図１１に温湿度が５℃６０％ＲＨ（冬季）時の運転パターンによる浴室１内の残水率の実測データを示す。図１１（ａ）は乾燥（ヒータオン）運転２ｈ＋換気弱運転７ｈ、図１１（ｂ）は乾燥（ヒータオン）運転４ｈの結果である。運転可能時間が９時間確保できる場合は、乾燥（ヒータオン）運転２ｈ＋換気弱運転７ｈで運転できるが、前記例のように運転可能時間が４時間しかない場合は乾燥（ヒータオン）運転４ｈが必要になることがわかる。
【図面の簡単な説明】
【００４９】
【図１】本発明の実施の形態の一例の全体の横断面図である。
【図２】同上の温度や湿度により切り替えるモードを説明する説明図である。
【図３】同上の浴室内に温度センサーや湿度センサーを設けた状態の縦断面図である。
【図４】同上の浴槽内に水位センサーを設けた状態の縦断面図である。
【図５】同上の他の例の全体の横断面図である。
【図６】同上の操作パネルの正面図である。
【図７】同上の制御を説明するフローチャートである。
【図８】同上の運転パターンを説明する説明図である。
【図９】（ａ）（ｂ）（ｃ）は同上の乾燥状態を説明するグラフである。
【図１０】同上の他の例の操作パネルを示す正面図である。
【図１１】（ａ）（ｂ）は同上の乾燥状態を説明するグラフである。
【符号の説明】
【００５０】
１  浴室
２  浴室換気装置
３  別室
４  操作パネル
５  温度センサー
６  湿度センサー
７  温度センサー
８  湿度センサー
１０  浴槽
【図１】
2005037110.tif 000003
【図２】
2005037110.tif 000004
【図３】
2005037110.tif 000005
【図４】
2005037110.tif 000006
【図５】
2005037110.tif 000007
【図６】
2005037110.tif 000008
【図７】
2005037110.tif 000009
【図８】
2005037110.tif 000010
【図９】
2005037110.tif 000011
【図１０】
2005037110.tif 000012
【図１１】
2005037110.tif 000013